(57)【要約】【課題】ユーザの関心に対応した広告を効率的に表示するコンテンツ再生装置を提供する。【解決手段】コンテンツ再生装置は、動画である第１コンテンツを供給する第１コンテンツ供給部と、第１コンテンツに表示される物体または場面に関連した映像である第２コンテンツを供給する第２コンテンツ供給部と、表示画面を有し第１および第２コンテンツを再生する再生部と、第１コンテンツの再生時間および表示画面の位置に対応して第２コンテンツを選択するテーブルを記憶する記憶部と、ユーザによる表示画面上の位置の指定動作を検出する指定検出部と、制御部とを備える。制御部は、第１コンテンツの表示中に指定動作が検出されたとき、テーブルを参照してその指定位置に対応する第２コンテンツを選択し、選択された第２コンテンツを再生部に再生させる。【選択図】図２
2016063471.tif 000002
【特許請求の範囲】
【請求項１】
動画である第１コンテンツを供給する第１コンテンツ供給部と、
第１コンテンツに表示される物体または場面に関連した映像である第２コンテンツを供給する第２コンテンツ供給部と、
表示画面を有し、前記第１および第２コンテンツを再生する再生部と、
前記第１コンテンツの再生時間および前記表示画面の位置に対応して前記第２コンテンツを選択するテーブルを記憶する記憶部と、
ユーザによる前記表示画面上の位置の指定動作を検出する指定検出部と、
前記第１コンテンツの表示中に、前記指定動作が検出されたとき、前記テーブルを参照してその指定位置に対応する第２コンテンツを選択し、選択された第２コンテンツを前記再生部に再生させる制御部と、
を備えたコンテンツ再生装置。
【請求項２】
前記指定検出部は、ユーザが操作するリモコン装置が向いている方向を検出し、該方向の前記表示画面上の位置を指定位置として決定する請求項１に記載のコンテンツ再生装置。
【請求項３】
前記指定検出部は、ユーザの視線を検出し、該視線が向いている方向の前記表示画面上の位置を指定位置として決定する請求項１に記載のコンテンツ再生装置。
【請求項４】
前記制御部は、複数回の前記指定位置を蓄積記憶し、この複数回の指定位置に基づいて前記第２コンテンツを選択する請求項３に記載のコンテンツ再生装置。
【請求項５】
前記第１コンテンツ取得部は、テレビ放送チューナーを含み、
前記第２コンテンツ取得部は、インターネット通信部を含む
請求項１乃至請求項４のいずれかに記載のコンテンツ再生装置。
【請求項６】
前記第１コンテンツは、テレビ放送ドラマ番組の映像であり、
前記第２コンテンツは前記第１コンテンツに表示される物体または場面の広告映像である請求項５に記載のコンテンツ再生装置。
【発明の詳細な説明】
【技術分野】
【０００１】
この発明は、テレビ放送などの主なコンテンツの再生と並行して効果的に広告コンテンツを再生するコンテンツ再生装置に関する。
【背景技術】
【０００２】
テレビ放送において、広告コンテンツ（広告映像）は、テレビ番組である主コンテンツの合間に１乃至数分程度放送される。視聴者は、広告が放送されている間テレビの前を離れる場合が多く、効果的な広告がうてていなかった。また、主コンテンツの内容と関連した商品の広告とは限らないため、視聴者の関心を惹かないものも多かった。
【０００３】
そこで、特許文献１には、ユーザのテレビ視聴履歴に基づいて、その視聴履歴に応じた広告映像をインターネットから取得して表示する広告提供システムが開示されている。
【先行技術文献】
【特許文献】
【０００４】
【特許文献１】特開２０１４−０９３６９５号公報
【発明の概要】
【発明が解決しようとする課題】
【０００５】
しかし、引用文献１の広告提供システムは、視聴時間毎の視聴履歴を記憶し、その記憶内容に基づいて広告映像を選択するものであって、ユーザ（視聴者）のその時の関心に応じて広告映像を選択するものではなく、現行のテレビ広告に取って代わるものではなかった。
【０００６】
そこで、この発明は、効率よくユーザの関心に対応した広告の表示が可能なコンテンツ再生装置を提供することを目的とする。
【課題を解決するための手段】
【０００７】
この発明のコンテンツ再生装置は、動画である第１コンテンツを供給する第１コンテンツ供給部と、第１コンテンツに表示される物体または場面に関連した映像である第２コンテンツを供給する第２コンテンツ供給部と、表示画面を有し第１および第２コンテンツを再生する再生部と、第１コンテンツの再生時間および表示画面の位置に対応して第２コンテンツを選択するテーブルを記憶する記憶部と、ユーザによる表示画面上の位置の指定動作を検出する指定検出部と、制御部とを備える。制御部は、第１コンテンツの表示中に指定動作が検出されたとき、テーブルを参照してその指定位置に対応する第２コンテンツを選択し、選択された第２コンテンツを再生部に再生させる。
【０００８】
指定検出部は、ユーザが操作するリモコン装置が向いている方向を検出し、この方向の表示画面上の位置を指定位置として決定するものであってもよい。
【０００９】
指定検出部は、ユーザの視線を検出し、この視線が向いている方向の表示画面上の位置を指定位置として決定するものであってもよい。
【００１０】
制御部は、複数回の指定位置を蓄積記憶し、この複数回の指定位置に基づいて第２コンテンツを選択するものであってもよい。
【００１１】
第１コンテンツ取得部がテレビ放送チューナーを含み、第２コンテンツ取得部がインターネット通信部を含んでいてもよい。
【００１２】
第１コンテンツがテレビ放送ドラマ番組の映像であり、第２コンテンツは第１コンテンツに表示される物体または場面の広告映像であってもよい。
【発明の効果】
【００１３】
以上のように、この発明によれば、ユーザによる画面上の位置の指定動作を検出し、この指定動作で指定された時間に指定された位置に表示されている物体または場面に関連する広告を表示することにより、ユーザが関心を持っている広告を効率的に表示することができる
【図面の簡単な説明】
【００１４】
【図１】この発明が適用される放送システムの構成図
【図２】テレビ受像機のブロック図
【図３】オブジェクトテーブルを示す図
【図４】テレビ受像機の視線検出部を示す図
【図５】テレビ受像機の制御部の動作を示すフローチャート
【発明を実施するための形態】
【００１５】
図面を参照してこの発明が適用される放送システムについて説明する。図１は、放送システムの構成図である。放送局１０は、地上デジタル放送の放送局であり、ＵＨＦ帯で１３セグメントに分割された周波数帯域を使用して高画質（ＨＤ）の１番組、または、普通画質（ＳＤ）の２番組の放送を行う。テレビ受像機１は、放送局１０が放送するテレビ放送を受信して再生する機器であり、テレビ放送の受信機能に加えて録画部３、および、ポインティング検出部２を備えている。
【００１６】
ユーザ（視聴者）は、テレビ番組（第１コンテンツ）の再生中に関心のある物や場面（以下オブジェクトと呼ぶ）が表示されると、赤外線リモコン４を用いてそのオブジェクトを指定する（ポインティングする）。テレビ受像機１は、ユーザによるポインティングを検出すると、それが再生中の映像のどのオブジェクトに向けて行われたものであるかを割り出し、そのオブジェクトに関連する広告映像（第２コンテンツ）を再生する。広告映像は、予め記憶されているものであってもよく、インターネット１２等からその都度取得したものであってもよい。また、ポインティングされた画面上の座標にどのようなオブジェクトが表示されているかは、テレビ受像機１が持つオブジェクトテーブルに記憶されている。オブジェクトテーブルは、テレビ放送またはインターネットを介して取得される。
【００１７】
テレビ受像機１は、インターネット１２を介して広告サーバ１１に接続されている。テレビ受像機１は、広告映像を広告サーバ１１または放送局１０から取得する。テレビ受像機１は、第１コンテンツであるテレビ番組に関係なく（例えば定期的に）、広告映像を取得して録画部３に録画しておいてもよく、広告映像が指定されたときに、広告サーバ１１にアクセスしてその広告映像を取得してもよい。なお、放送局１０が普通画質で２番組の放送を行う場合、第１の番組として第１コンテンツであるテレビ番組を放送し、第２の番組として第２コンテンツである広告映像を放送してもよい。１つの広告映像は、１５秒程度であるため、１０分で４０本の広告映像を放送（送信）することができる。この場合、テレビ受像機１は、広告映像を録画部３に録画しておき、指定されたものを再生すればよい。
【００１８】
ポインティング検出部２は、ユーザが操作する赤外線リモコン４の向きを検出する。赤外線リモコン４は、ポインティングボタン４Ａを有しており、ユーザによってポインティングボタン４Ａがオンされると、所定のポインティング信号を送信する。テレビ受像機１は、赤外線リモコン４からポインティング信号が送信されると、そのときの赤外線リモコン４の向きを検出し、テレビ受像機１のディスプレイ１Ａのどの位置がポインティングされたかを検出する。赤外線リモコン４によるポインティング位置の検出方法としては、たとえば、特開２００７−２５６１００号公報に開示されたものを用いればよいが、勿論この方式に限定されるものではない。なお、赤外線リモコン４は、ポインティング以外に、チャネル切り換えやボリューム調節などの機能を有している。
【００１９】
図２はテレビ受像機１のブロック図である。テレビ受像機１は、制御部２０、チューナー２１、画像処理部２２、表示部２３、記憶部２５、リモコン受信部２６およびインターネット通信部２７を備えている。チューナー２１は、ＵＨＦ帯で放送されるテレビ放送を受信して映像信号および音声信号をデコードする。画像処理部２２は、チューナー２１がデコードした映像信号を表示部２３に入力するかまたは記憶部２５に記録（録画）する。また、必要に応じて記憶部２５に記録されている映像信号を再生する。画像処理部２２の動作については後述する。表示部２３は、画像処理部２２から入力された映像信号を展開してディスプレイ（表示画面）１Ａに表示する。
【００２０】
記憶部２５は、ハードディスクドライブ等で構成され、映像信号（映像データ）やオブジェクトテーブル２５Ａを記憶する。リモコン受信部２６は、赤外線リモコン４から送信される赤外線信号を受信してデコードするとともに、ポインティング信号を受信したとき赤外線リモコン４の向いている方向を検出して制御部２０に通知する。インターネット通信部２７は、インターネット１２を介して広告サーバ１１と通信し、広告映像のファイルやオブジェクトテーブルなどを取得する。オブジェクトテーブルは放送波の中にあっても良く、画像処理部２２で抽出され、記憶部２５に記憶するものでもいい。
【００２１】
なお、図１に示したポインティング検出部２は、リモコン受信部２６の一部機能として実現され、録画部３は、画像処理部２２、記憶部２５、制御部２０およびソフトウェアが協働した機能として実現される。
【００２２】
なお、広告映像の再生は、ディスプレイ１Ａに全画面で再生してもよく、ディスプレイ１Ａ内に小窓を表示し、この小窓内に表示してもよい。広告映像を全画面で表示する場合には、チューナー２１が受信したテレビ番組（第１コンテンツ）を記憶部２５に録画しつつ広告映像を再生する。広告映像の再生後、記憶部２５に録画されたテレビ番組の映像信号を読み出して再生するとともに、チューナー２１が受信したテレビ番組の映像信号を記憶部２５に録画する。すなわち、ＦＩＦＯを用いて遅れ再生を行う。この処理は、画像処理部２２によって行われる。また、広告映像を小窓で表示する場合には、画像処理部２２は、そのとき再生されるテレビ番組の映像に広告映像用の小窓の領域を作成し、そこに表示する。
【００２３】
図３はオブジェクトテーブル２５Ａを示す図である。この対応テーブル２５Ａは、インターネット通信部２７が広告サーバ１１から取得、またはテレビ番組の映像とともに放送され画像処理部２２で抽出され、記憶部２５に記憶される。対応テーブルには、番組中の時刻、画面上の座標、その時その場所に表示されているオブジェクトに関連するファイル名、広告映像の選択情報が対応づけて記憶される。選択情報は、記憶部２５に記憶されているファイルのファイル名、ディレクトリであってもよく、広告サーバ１１に記憶されているコンテンツにアクセスするためのＵＲＬであってもよい。また、一般のインターネットページを指すＵＲＬであってもよい。ユーザによって画面がポインティングされると、その時刻およびポインティング座標を用いてこのテーブルが検索され、対応する広告映像が選択される。例えばオブジェクトテーブル２５Ａにおいて、ドラマなどのシナリオのある番組中で使用される商品、番組で訪問される商店、野球場の看板などがオブジェクトとして採用される。
【００２４】
なお、図３に示したオブジェクトテーブル２５Ａでは、時刻として一瞬の時刻が指定され、座標として一点が指定されているが、時刻を時間範囲としてもよく、座標を広さのある範囲（領域）で指定してもよい。
【００２５】
図４は、ポインティング検出の別形態を示す図である。この実施形態では、ユーザの視線を検出し、ユーザが注視している画面１Ａ上の点をポイティング点とする。ユーザの視線を検出するため、リモコン受信部２６に加えて視線検出部３０を備える。視線検出部３０は、画面１Ａ近傍に１台または複数台のカメラ３１を含み、このカメラ３１がユーザの顔を撮影する。視線検出部３０は、カメラ３１が撮影したユーザの顔の画像に基いて、ユーザの視線を検出する。視線の検出手法は、たとえば、特開２００５−１８５４３１号公報に記載の手法を用いればよいが、勿論この手法に限定されるものではない。ユーザが赤外線リモコン４のポインティングボタン４Ａをオンしてポインティング信号を送信したとき、テレビ受像機１の制御部２０は、視線検出部３０にそのときのユーザの視線を検出させ、検出された視線方向の画面１Ａ上の点がポインティングされたとする。また、ユーザによる指示がなくても、所定のタイミングまたは定期的にユーザの視線を検出してユーザが番組中の何を注視しているかを検出してもよい。この場合、広告表示のタイミングは番組進行の所定時間またはチャプター区切りなどで一旦再生・表示を停止し、それまでの視線の動きの時間と位置の変化からオブジェクトテーブル２５Ａを検索し、再生する広告を決定し、表示することになる。この点は後述する。また、赤外線リモコン４の向きによるポインティング検出機能と図４に示した視線によるポインティング検出機能は択一的なものではなく、テレビ受像機１が両方を備えてもよい。
【００２６】
図５は、テレビ受像機１の制御部２０の動作を示すフローチャートである。この処理は、たとえば、２０ミリ秒毎に繰り返し実行される。このフローチャートでは、制御部２０は、赤外線リモコン４の向きによるポインティング検出とユーザの視線に基づくポインティング検出の両方を用いた広告選択機能を備えている。すなわち、赤外線リモコン４の向きによるポインティング検出では、赤外線リモコン４を操作したユーザの積極的なポインティング操作を検出し、このポインティング操作で指定されたオブジェクトに関連する広告映像を選択する。ユーザの視線に基づくポインティング検出では、ユーザが積極的なポインティング操作をしなかった場合に、ユーザの視線に基いて注視していると思われるオブジェクトに関連する広告映像を選択する。
【００２７】
まず、赤外線リモコン４によるポインティング操作があるかを検出する（Ｓ１）。また、ポインティング操作がない無指定時間が所定時間（たとえば１５分）に達したかを判断する（Ｓ２）。ポインティング操作がなく、且つ無指定時間が所定時間になっていない場合（Ｓ１、Ｓ２でＮＯ）、定期的に（例えば１秒毎に）ユーザの視線を検出する（Ｓ２１）。検出された視線のディスプレイ１Ａ上の座標に対応するオブジェクト（または広告映像）を、オブジェクトテーブル２５Ａを用いて割り出し（Ｓ２２）、この割り出されたオブジェクト（または広告映像）を、記憶部２５に設定される注視物リストに記憶する（Ｓ２３）。
【００２８】
Ｓ１でポインティング操作があった場合（Ｓ１でＹＥＳ）、リモコン受信部２６からその検出座標を読み込む（Ｓ１１）。検出された座標でオブジェクトテーブル２５Ａを検索し（Ｓ１２）、その座標に対応するオブジェクトに関連する広告映像を選択する（Ｓ１３）。そして、この広告映像を記憶部２５から読み出すか、または、インターネット１２を介して広告サーバ１１または、その他のサイトにアクセスし、広告映像をダウンロード（またはストリーミング）して再生、または広告映像ウェブページを表示する（Ｓ１４）。ポインティング操作があったので、無指定時間および注視物リストをクリアする（Ｓ１５）。
【００２９】
ユーザによるポインティング操作がない無指定時間が所定時間に達した場合（Ｓ２でＹＥＳ）、注視物リストの記憶内容を読み出し、最も頻繁に注視していたオブジェクトを割り出し、そのオブジェクトに関連する広告映像を選択する（Ｓ３１）。そして、この広告映像を記憶部２５から読み出すか、または、インターネット１２を介して広告サーバ１１または、その他のサイトにアクセスし、広告映像をダウンロード（またはストリーミング）して再生、または広告映像ウェブページを表示する（Ｓ３２）。広告映像を再生したので、無指定時間および注視物リストをクリアする（Ｓ３３）。
【００３０】
なお、広告映像の再生は、上に述べたように、ディスプレイ１Ａに全画面で再生してもよく、画面内の小窓で表示してもよい。また、ポインティング操作があった場合の広告映像の再生（Ｓ１４）は全画面で行い、ポインティング操作がない場合の視線検出（注視物リスト）に基づく広告映像の再生（Ｓ３２）は小窓で行うようにしてもよい。
【００３１】
なお、この実施形態では、第１コンテンツをテレビ番組とし、第２コンテンツを広告映像としたが、第１コンテンツ、第２コンテンツは、これに限定されるものではない。また、第１コンテンツをインターネットから取得された映像としてもよい。
【符号の説明】
【００３２】
１  テレビ受像機
１Ａ  ディスプレイ
２  ポインティング検出部
４  赤外線リモコン
４Ａ  ポインティングボタン
１０  放送局
１１  広告サーバ
２１  チューナー
２５  記憶部
２５Ａ  オブジェクトテーブル
２６  リモコン受信部
３０  視線検出部
３１  カメラ
【図１】
2016063471.tif 000003
【図２】
2016063471.tif 000004
【図３】
2016063471.tif 000005
【図４】
2016063471.tif 000006
【図５】
2016063471.tif 000007